(57)【要約】【課　　題】防獣フェンス用のフェンス体について、小動物から大形動物は勿論、無用の者（人）を高速道路側内や線路側内に侵入させないという防獣機能は十分に果し、並びに、この機能を比較的簡潔な構造のフェンス体で実現でき、また、製造手間やそのコスト面、並びに、設置し易さや設置強度などの面においても、提案しているフェンス体を凌ぐ内容を具備した防獣フェンス用の新たなフェンス体を提供すること。【解決手段】４〜１０ｍｍφの鋼棒を縦メンバ１及び横メンバとし、各メンバを夫々に縦，横で平行に並べ各メンバの交叉部を溶接により固着して正面幅１０００〜２５００ｍｍ、高さ１０００〜２５００ｍｍに形成した防獣フェンス用のフェンス体Ｆｂにおいて、該フェンス体Ｆｂの上方に、縦幅が３００ｍｍ〜７００ｍｍの縦長の格子目３，５を動物の手掛かり不能部として形成すると共に、該手掛かり不能部の下方は格子目３，５の縦幅を前記縦長格子目の縦幅より小さく形成して当該フェンス体Ｆｂの強度保持部に形成したこと。【選択図】　　図１
2004024230.tif 000002
【特許請求の範囲】
【請求項１】
４〜１０ｍｍφの鋼棒を縦メンバ及び横メンバとし、各メンバを夫々に縦，横で平行に並べ各メンバの交叉部を溶接により固着して正面幅１０００〜２５００ｍｍ、高さ１０００〜２５００ｍｍに形成した防獣フェンス用のフェンス体において、該フェンス体の上方に、縦幅が３００ｍｍ〜７００ｍｍの縦長の格子目を動物の手掛かり不能部として形成すると共に、該手掛かり不能部の下方は格子目の縦幅を前記縦長格子目の縦幅より小さく形成して当該フェンス体の強度保持部に形成したことを特徴とする防獣フェンス用のフェンス体。
【請求項２】
４〜１０ｍｍφの鋼棒を縦メンバ及び横メンバとし、各メンバを夫々に縦，横で平行に並べ各メンバの交叉部を溶接により固着して正面幅１０００〜２５００ｍｍ、高さ１０００〜２５００ｍｍに形成した防獣フェンス用のフェンス体において、該フェンス体の下方に、縦幅が６００ｍｍ〜１０００ｍｍの縦長の格子目を動物の手掛かり不能部として形成すると共に、該手掛かり不能部の上方は格子目の縦幅を前記縦長格子目の縦幅より小さく形成して当該フェンス体の強度保持部に形成したことを特徴とする防獣フェンス用のフェンス体。
【請求項３】
縦メンバの下端部は櫛歯状をなすように形成した請求項１又は２の防獣フェンス用のフェンス体。
【請求項４】
４〜１０ｍｍφの太さで長さ約１０００〜２５００ｍｍの鋼棒を、４０〜６０ｍｍの間隔で縦向き平行にして正面幅が１０００〜２５００ｍｍをなすように並べた縦メンバに、４〜１０ｍｍφの太さで長さを前記正面幅と略同長に整えた鋼棒による第一の横メンバを、前記縦メンバの上端部乃至はその近傍に配置し、そこから３００〜７００ｍｍの位置に第二の横メンバを配して前記各メンバの交叉部を溶着することにより動物の手掛かり不能部を形成すると共に、溶着された前記第二の横メンバの下方に位置した前記縦メンバには、前記横メンバと同様の鋼棒による１本又は２本以上の第三の横メンバを、前記手掛かり不能部の縦幅より狭い縦幅の格子が形成されるように配置して各メンバの交叉部を溶着することにより狭縦幅の格子目を形成し、かつ、前記各縦メンバの最下部は櫛歯状をなすように形成し地中に埋設されるようにしたことを特徴とする防獣フェンス用のフェンス体。
【請求項５】
４〜１０ｍｍφの太さで長さ約１０００〜２５００ｍｍの鋼棒を、４０〜６０ｍｍの間隔で縦向き平行にして正面幅が１０００〜２５００ｍｍをなすように並べた縦メンバに、４〜１０ｍｍφの太さで長さを前記正面幅と略同長に整えた鋼棒による第一の横メンバを、前記縦メンバの下端部乃至はその近傍に配置し、そこから６００ｍｍ〜１０００ｍｍの位置に第二の横メンバを配して前記各メンバの交叉部を溶着することにより動物の手掛かり不能部を形成すると共に、溶着された前記第二の横メンバの上方に位置した前記縦メンバには、前記横メンバと同様の鋼棒による１本又は２本以上の第三の横メンバを、前記手掛かり不能部の縦幅より狭い縦幅の格子が形成されるように配置して各メンバの交叉部を溶着することにより狭縦幅の格子目を形成し、かつ、前記各縦メンバの最下部は櫛歯状をなすように形成し地中に埋設されるようにしたことを特徴とする防獣フェンス用のフェンス体。
【請求項６】
第一，第二，第三の横メンバは、そのいずれか一つ又は二つ以上を１本の鋼棒により形成した請求項４又は５の防獣フェンス用のフェンス体。
【請求項７】
第一，第二，第三の横メンバは、そのいずれか一つ又は二つ以上を少なくとも２本の鋼棒を４０〜１００ｍｍ程度の間隔で平行に並べたものを横メンバの一組とした請求項４又は５の防獣フェンス用のフェンス体。
【請求項８】
手掛かり不能部には、平板を取付けた請求項１〜５のいずれかの防獣フェンス用のフェンス体。
【請求項９】
平板を取付けて形成する手掛かり不能部には、横メンバが設けられない請求項８の防獣フェンス用のフェンス体。
【請求項１０】
鋼棒による横メンバに代え、金属板、型鋼、金属製パイプなどを縦メンバに固着した請求項１〜９のいずれかの防獣フェンス用のフェンス体。
【請求項１１】
フェンス体の上端部又は下端部若しくは上，下両端部に胴縁を設けた請求項１〜１０のいずれかの防獣フェンス用のフェンス体。
【請求項１２】
胴縁は、縦メンバの上端部又は下端部若しくは上下両端部に、縦メンバを延設して形成するか若しくは４〜１０ｍｍφの鋼棒により形成した略環状乃至半環状をなす胴縁用枠体を設けると共に、これら枠体の外周又は内周に、フェンス体の正面幅と略同長に整えた４〜１０ｍｍφの鋼棒による胴縁用横メンバの複数本を適宜間隔で配設し、該横メンバと前記枠体の交叉部を溶接により固着して胴縁に形成した請求項１１の防獣フェンス用のフェンス体。
【請求項１３】
請求項１〜１２のフェンス体は、そのフェンス体より高い支柱に取付け、該支柱のフェンス体が設けられない部位には、鉄線若しくは編成又は溶接金網を取付けるようにした防獣フェンス。
【請求項１４】
請求項１〜１２のいずれかのフェンス体、又は、請求項１２の防獣用フェンスは、既設フェンスに重ねて設けるようにした防獣フェンス。
【発明の詳細な説明】
【０００１】
【発明の属する技術分野】
本発明は、山間部や丘陵地帯などに敷設されている鉄道、自動車道に沿って設置するフェンスに関し、線路や道路内に人や小動物が侵入するのを効果的に防止できる防獣用フェンスを設置する際に使用するフェンス体並びにこのフェンス体を使用した防獣フェンス（以下、防獣用フェンスともいう）に関する。
【０００２】
【従来の技術】
従来より、山間部などを走る高速道路や鉄道線路に対しては、安全上、その他の観点から道路や線路内にキツネ，タヌキ，イノシシ，鹿，熊等の小動物や獣類、或は、人が侵入することがないように、ネット状に編成した金網を主体に形成したフェンス体が防獣用フェンスとして設置されている。
【０００３】
しかし、ネット状に編成した金網を主体とする防獣用フェンスは、アングル材などの材料で矩形状をなす外フレームを作り、このフレームの内側に編成金網を張設してフェンス体を形成し、これを支柱に取付けて設置することにより防獣用フェンスとしているため、設置場所が凹凸面や傾斜面である山間部では、フェンス体の下端縁と地上面の間に大小様々な形態の隙間が生じ、この隙間が獣、特に、タヌキ等の小動物の侵入防止には殆んど役立っていないことが指摘されている。
【０００４】
また、このような隙間がなくても、編成金網を使用した防獣用フェンスでは、その網目に手や爪を引掛けて小動物がフェンスを乗り超えたり、或は、フェンスの下の地面を掘ってそこからフェンスの内側へタヌキ等の小動物が侵入することが知られており、この点でも問題である。
【０００５】
従来、上記のような問題点に鑑み、別のフェンス体を既設フェンスに重ねて設置したり、既設フェンスの下部の隙間を塞ぐために別製したフェンス体を後付け工事により取付けるなどの対策が採られているが、このような対策では設備コストが高くなるのみならず、前記問題の根本的な解決には至っていない。
【０００６】
上記のような従来の防獣用フェンスの問題点に鑑み、本発明者らはフェンスと地上の間に多少の隙間があっても小動物がフェンスの下に穴を堀っても通り抜けることを不可能にした防獣用フェンスに関する発明を特願２０００−２０９１０号、同２００１−１８９２４号などとして提案している。
【０００７】
発明者らが先に提案しているフェンス体は、一例として、４〜６ｍｍφの太さで長さが約１０００〜１８００ｍｍ程度の鋼棒を約５０〜６０ｍｍ間隔で縦向きに平行にして前記正面幅をなすように並べた縦メンバと、４〜１０ｍｍφの太さで長さが前記正面幅と略同長の鋼棒の２本乃至３本を幅が約５０〜６０ｍｍ程度をなすように横向きに平行に並べる横メンバとにより、前記横メンバの複数の組を前記縦メンバの上に、当該縦メンバの上端近くから約４００ｍｍ〜５００ｍｍ程度の間隔を持たせて配置し、各縦メンバと横メンバの交叉部を溶接により接合した構成のものであり、従来の防獣フェンスの問題点を一挙に解決できるものとして、当業界において高い評価を受け、各地の高速道路沿いや新幹線の線路沿いなどにおいて、多数の設置例が見られるに至った。
【０００８】
しかし、上記の提案しているフェンス体にもなお解決すべき問題のあることが、経験的に判明した。即ち、上記の提案フェンス体は、正面幅が任意の幅で通常は約１５００〜２０００ｍｍ程度、高さが約１０００〜１８００ｍｍ程度で外形がほぼ矩形状をなすフェンス体であるが、このフェンス体は、４〜６ｍｍφの太さで長さが約１０００〜１８００ｍｍ程度の鋼棒を約５０〜６０ｍｍ間隔で縦向きに平行にして前記正面幅をなすように並べた縦メンバと、４〜１０ｍｍφの太さで長さが前記正面幅と略同長の鋼棒の２本乃至３本を一組としそれらの幅が約５０〜６０ｍｍ程度をなすように横向きに平行に並べる横メンバとにより、前記横メンバの複数の組を前記縦メンバの上に、当該縦メンバの上端近くから約４００ｍｍ〜５００ｍｍ程度の間隔で２〜３組程度配置し、各縦メンバと横メンバとのすべての交叉部を溶接により接合する構造であるため、製造に手間がかかる上に、使用する鋼棒の本数も多くなり、従って、フェンス体の重量も自づから嵩張るという難点があった。
【０００９】
【発明が解決しようとする課題】
本発明は、上記の本発明者らが提案している防獣フェンス用のフェンス体について、小動物から大形動物は勿論、無用の者（人）を高速道路側内や線路側内に侵入させないという防獣機能は十分に果し、並びに、この機能を比較的簡潔な構造のフェンス体で実現でき、また、製造手間やそのコスト面、並びに、設置し易さや設置強度などの面においても、提案しているフェンス体を凌ぐ内容を具備した防獣フェンス用の新たなフェンス体を提供することを、その課題とするものである。
【００１０】
【課題を解決するための手段】
上記課題を解決することを目的としてなされた防獣フェンス用の本発明フェンス体の構成の一つは、４〜１０ｍｍφの鋼棒を縦メンバ及び横メンバとし、各メンバを夫々に縦，横で平行に並べ各メンバの交叉部を溶接により固着して正面幅１０００〜２５００ｍｍ、高さ１０００〜２５００ｍｍに形成した防獣フェンス用のフェンス体において、該フェンス体の上方に、縦幅が３００ｍｍ〜７００ｍｍの縦長の格子目を動物の手掛かり不能部として形成すると共に、該手掛かり不能部の下方は格子目の縦幅を前記縦長格子目の縦幅より小さく形成して当該フェンス体の強度保持部に形成したことを特徴とするものである。
【００１１】
上記フェンス体のより具体的な構成は、４〜１０ｍｍφの太さで長さ約１０００〜２５００ｍｍの鋼棒を、４０〜６０ｍｍの間隔で縦向き平行にして正面幅が１０００〜２５００ｍｍをなすように並べた縦メンバに、４〜１０ｍｍφの太さで長さを前記正面幅と略同長に整えた鋼棒による第一の横メンバを、前記縦メンバの上端部乃至はその近傍に配置し、そこから３００〜７００ｍｍの位置に第二の横メンバを配して前記各メンバの交叉部を溶着することにより動物の手掛かり不能部を形成すると共に、溶着された前記第二の横メンバの下方に位置した前記縦メンバには、前記横メンバと同様の鋼棒による１本又は２本以上の第三の横メンバを、前記手掛かり不能部の縦幅より狭い縦幅の格子が形成されるように配置して各メンバの交叉部を溶着することにより狭縦幅の格子目を形成し、かつ、前記各縦メンバの最下部は櫛歯状をなすように形成し地中に埋設されるようにしたことを特徴とするものである。
【００１２】
上記課題を解決することを目的としてなされた防獣フェンス用の本発明フェンス体の他の構成は、４〜１０ｍｍφの鋼棒を縦メンバ及び横メンバとし、各メンバを夫々に縦，横で平行に並べ各メンバの交叉部を溶接により固着して正面幅１０００〜２５００ｍｍ、高さ１０００〜２５００ｍｍに形成した防獣フェンス用のフェンス体において、該フェンス体の下方に、縦幅が６００ｍｍ〜１０００ｍｍの縦長の格子目を動物の手掛かり不能部として形成すると共に、該手掛かり不能部の上方は格子目の縦幅を前記縦長格子目の縦幅より小さく形成して当該フェンス体の強度保持部に形成したことを特徴とするものである。
【００１３】
上記フェンス体のより具体的な構成は、４〜１０ｍｍφの太さで長さ約１０００〜２５００ｍｍの鋼棒を、４０〜６０ｍｍの間隔で縦向き平行にして正面幅が１０００〜２５００ｍｍをなすように並べた縦メンバに、４〜１０ｍｍφの太さで長さを前記正面幅と略同長に整えた鋼棒による第一の横メンバを、前記縦メンバの下端部乃至はその近傍に配置し、そこから６００ｍｍ〜１０００ｍｍの位置に第二の横メンバを配して前記各メンバの交叉部を溶着することにより動物の手掛かり不能部を形成すると共に、溶着された前記第二の横メンバの上方に位置した前記縦メンバには、前記横メンバと同様の鋼棒による１本又は２本以上の第三の横メンバを、前記手掛かり不能部の縦幅より狭い縦幅の格子が形成されるように配置して各メンバの交叉部を溶着することにより狭縦幅の格子目を形成し、かつ、前記各縦メンバの最下部は櫛歯状をなすように形成し地中に埋設されるようにしたことを特徴とするものである。
【００１４】
上記の本発明フェンス体は、その手掛かり不能部にプラスチック板やアルミ板、或は、鉄板などによる板材を張設することにより、動物の手掛かり不能機能を保持したまま、前記板材を、標語や広報、或は、広告などの表示部として利用することが可能になる。また、上記フェンス体は、横メンバに上記例の鋼棒に代え、金属製の板や鋼帯、或は、適宜断面の型鋼、金属製パイプなど、縦メンバと溶接可能な材料を使用して形成することがある。
【００１５】
また、本発明フェンス体は、フェンス体の上端部又は下端部若しくは上，下両端部に胴縁を設けた構成にすることができる。この胴縁は、縦メンバの上端部又は下端部若しくは上下両端部に、縦メンバを延設して形成するか若しくは４〜１０ｍｍφの鋼棒により形成した略環状乃至半環状をなす胴縁用枠体を設けると共に、これら枠体の外周又は内周に、フェンス体の正面幅と略同長に整えた４〜１０ｍｍφの鋼棒による胴縁用横メンバの複数本を適宜間隔で配設し、該横メンバと前記枠体の交叉部を溶接により固着して胴縁にすることができる。
【００１６】
【発明の実施の形態】
次に、本発明フェンス体の実施の形態例について、例を挙げて図に拠り説明する。図１は本発明フェンス体の一例の正面図、図２は図１のフェンス体を防獣用フェンスの一例として設置した例の要部の正面図、図３は本発明フェンス体の他の一例の正面図、図４は本発明フェンス体の別例を使用した防獣フェンスの例の正面図、図５は本発明フェンス体の他の例を使用した防獣フェンスの一例の正面図、図６は本発明フェンス体を既設フェンスに重ねて設置した例の正面図、図７は胴縁を設けた本発明フェンス体の一例の要部拡大斜視図、図８は同じく、胴縁を設けた本発明フェンス体の他の一例の要部拡大斜視図である。
【００１７】
図１において、Ｆｂは正面から見た外輪郭形状が長方形状をなすように形成した本発明フェンス体の一例であって、ここでは次のように構成されている。即ち、１は前記フェンス体Ｆｂの縦メンバで、図１の例では４ｍｍφ〜１０ｍｍφの太さで長さが１５００〜１６００ｍｍの鋼棒を、ほぼ５０ｍｍ間隔で縦向きに平行に並べ、その全体が、このフェンス体Ｆｂの正面幅をなすように、例えば１５００〜２０００ｍｍ程度の正面幅になるように配置される。実際には、後述する支柱の芯々間距離が２０００ｍｍに設計されている場合、フェンス体Ｆｂの幅は２１００〜２１５０　ｍｍ程度に形成する。本発明フェンス体Ｆｂの正面幅は、使用する縦メンバ１の本数を加減することにより、任意の正面幅に形成できる。具体的には、防獣フェンスを設置する場所における地面の凹凸状況や傾斜状況により、設置される支柱間の距離が区々に設定されるので、その支柱間距離の種類に見合う正面幅に形成するが、運搬等の便宜を考えると、５００〜３０００ｍｍ程度の正面幅であることが実用的である。
【００１８】
２は、上記において鋼棒による各縦メンバ１が縦向きに平行に並べられることにより、全体が１５００〜２０００ｍｍ程度の幅に配置された全ての縦メンバ１に対して、その上面に、横向きに配置した横メンバで、図の例では太さが６ｍｍφ、長さが、並べた前記縦メンバ１の全体の幅と同等乃至は少し長い１５００余〜２０００余ｍｍの鋼棒を、この例では鋼棒２本を略４０〜７５ｍｍの間隔で平行に並べたものを一組とする第一，第二の横メンバ２１，２２とし、上記で並べた縦メンバ１の上に、ここでは縦メンバ１の上端部に第一の横メンバ２１を、そこから約４００ｍｍ〜７００ｍｍの位置に第二の横メンバ２２を配置することにより、動物の手掛かり不能部となる縦長の格子目３を形成する。本発明において、上記第一，第二の横メンバ２１，２２は、鋼棒１本を単線使いで用いることもある。要は、フェンス体の上部に縦，横の各メンバ１，２により縦長の格子目３が形成されることが肝要である。
【００１９】
下位に位置した上記の第二横メンバ２２の下方における縦メンバの上には、前記の４００〜７００ｍｍよりも縦幅が小さくなるピッチで、１本又は少なくとも２本を一組とする第三の横メンバ４を配置し、各メンバ１，２，４を、それらの各交点部において溶接により固着することにより、図１に示す正面形態のフレームレスの本発明フェンス体Ｆｂの一例が形成されている。第三の横メンバ４と縦メンバ１の溶接による固着で、このフェンス体Ｆｂの強度保持部が形成される。第三の横メンバ４と縦メンバ１の固着により形成される格子目５は、その縦幅を、上記格子目３よりも小さくすることにより、強度保持部として機能する構造を実現している。
【００２０】
ここで、前記の各横メンバ２，４は、４〜１０ｍｍφの太さの鋼棒の中から、設置場所の環境等を考慮して使用する鋼棒の太さを選択すればよい。通常は６〜８ｍｍφ程度のものを使用する。また、図１に例示した２本１組の第一，第二の横メンバ２１，２２は、３本の鋼棒で形成してもよく、前記横メンバ２１，２２による縦長格子目３の縦幅は、４００ｍｍ以外の例えば３００ｍｍ〜７００ｍｍ程度の中から選択した数値とすることもある。本発明において、横メンバ２は縦メンバ１と同等又はそれより太い鋼棒を使い、しかも、それを２〜３本を１組とする使用態様とするのは、本発明フェンス体Ｆｂをフレームレス形式とし、フレームレスであってもフェンス体全体の強度を上げると共に、縦メンバ１の上端部の第一横メンバ２１に、従来フェンスの胴縁に代わる機能を持たせるためである。この意味で、上記の横メンバ２，４には鋼棒によるメンバに代え適宜断面の細目の型鋼、或は、金属板、金属帯、金属パイプなどの中から選択したものを用いることもある。なお、本発明フェンス体Ｆｂは、その縦メンバ１の上端部又は下端部、若しくは、上下両端部に胴縁を設けた構成もあり、この点については後述する。
【００２１】
図１に示すフェンス体Ｆｂは、太さが４〜１０ｍｍφの縦メンバ１と４〜１０ｍｍφの第一，第二，第三の横メンバ２１，２２，４により形成されており、縦メンバ１と第一，第二の横メンバ２１，２２により形成される手掛かり不能部になる縦長の格子目３は、図１の例では、芯々間の大きさで横幅約５０ｍｍ、縦幅約４００ｍｍの大きさであるから、タヌキ等の小動物がこの格子目３から抜けることはできない。また、この格子目３の縦幅が４００ｍｍあることは、縦メンバ１の格子目３におけるスパンが、４〜１０ｍｍφの鋼棒によって４００ｍｍであるから、人手によっても曲げることは殆んど不可能乃至は困難、つまり、格子目３の横幅を人や動物が拡開することは事実上不可能であり、従って、小動物がこれを変形させて反対側に抜け出すことは事実上あり得ず、また、人も格子目３を変形させて通り抜け不能である。
【００２２】
図１に例示したフレームレスの本発明フェンス体Ｆｂは、その上方に手掛かり不能部となる格子目３が形成され、その長さがこの例においては４００ｍｍ、実際には３００ｍｍ〜７００ｍｍの範囲の適宜大きさに形成されるから、縦メンバ１に配された第二の横メンバ２２や第三の横メンバ４に小動物が手や爪を引掛けても、最上位の第一の横メンバ２１には、当該小動物の手や爪が届かず、従って、このフェンス体Ｆｂを小動物がよじ登ることは出来ない。また、上記フェンス体Ｆｂの下方は、第三の横メンバ４により形成される格子目５の上下幅が前記格子目３よりも小さく、しかも、各メンバ１と４とはその交点部が溶接で固定されているので、フェンス体Ｆｂの下部の強度を一段と大きく形成できる。本発明では、上記縦メンバ１に、上記の鋼棒による横メンバ２，４に代え、適宜断面の型鋼や金属板、金属帯、金属パイプなどの中から選択した部材を横メンバとして溶接などにより固着してフェンス体Ｆｂを形成すると共に、このフェンス体Ｆｂの上方には手掛かり不能部となる縦長格子目３を形成し、その下方に格子目５を形成する形態としてもよい。
【００２３】
上記のように形成される図１に例示した本発明フェンス体Ｆｂは、例えば山間部に通された鉄道や自動車道に沿って、図２に例示するような形態により防獣用フェンスとして設置されるが、本発明では防獣フェンスの下部の地面を掘って侵入して来る小動物の侵入を防ぐため、このフェンス体Ｆｂの最下部は、各縦メンバ１を櫛歯状に突出させた突出部１ａに形成し、この部分１ａを設置場所の土中に埋設するようにしている。前記突出部１ａの突出量は１０ｍｍ前後から３００ｍｍ前後の間で任意に設定することができる。埋設の仕方は、設置場所の土の硬さや地形などに鑑み、突刺し埋設、或は、堀込み埋設などが選択される。上記フェンス体Ｆｂを使用した防獣用フェンスの設置例について、図２により説明する。
【００２４】
まず、図１の本発明フェンス体Ｆｂを、その一枚の幅を支柱間隔の単位として複数の支柱６を地面Ｇに立設する（図２参照）。この支柱６自体の構造やその立設基礎７は、従来フェンスの場合と略同様である。本発明フェンス体Ｆｂを使用した防獣用フェンスは、立設した各支柱６の路面（鉄道又は道路）に向いた側を前面にし、各支柱６の前面に、前記のフェンス体Ｆｂを、その横メンバ２，４を外面（縦メンバ１を支柱６の前面に直接対面させる）に向け、各フェンス体Ｆｂの両端部を重ねて支柱６に当てがい、各支柱６の前面で重なった２枚のフェンス体Ｆｂの端部を、ここでは第一と第二の横メンバ２１，２２における２本の平行な鋼棒の間、並びに、第三の横メンバ４に、いわゆるＵボルトや金属ベルトなどによる止め金具８を夫々に配置し、Ｕボルトの場合には各ボルトを締付け、各フェンス体Ｆｂを各支柱６に固定して取付けることにより、防獣用フェンスの一例に形成する。なお、この防獣用フェンスにおいては、各支柱６にフェンス体Ｆｂよりも十分高く形成したものを用い、フェンス体Ｆｂが張設されない支柱６，６の上方部には、例えば、鹿除け用などとして、鉄線や編成金網又は溶接金網を張設することがある。
【００２５】
上記フェンス体Ｆｂの取付けの際、各フェンス体Ｆｂの縦メンバ１の下端側の櫛歯状突出部１ａは、適宜の埋込み深さで地面Ｇに埋込まれる。なお、この埋込みの際に、フェンス体Ｆｂの手前側（道路，線路から見て外側）に、網目シート（図示せず）を配置し、このシートの先端側を前記フェンス体Ｆｂの縦メンバ１下端の突出部１ａで押え、該シートの他の部位を、ペグ状のアンカー（図示せず）などによって地面Ｇの表面に固定することがある。網目シートをこのようにして設けると、フェンス体Ｆｂの、埋設される下端部の近傍が網目シートによってカバーされることになるので、該シートが設けられた部分は、地表を小動物が掘ることはできない。
【００２６】
上記の各フェンス体Ｆｂは、鋼棒により形成する４〜１０ｍｍφの縦メンバと４〜１０ｍｍφの横メンバの組合せにより多数の格子目３，５がいわば網目として形成されるので、フレームレスであってもフェンス体全体としての強度を大きくでき、このフェンス体Ｆｂを積雪地に設置しても、各格子目３，５から雪が抜け易く、雪の詰まりが少ない。従って、本発明フェンス体Ｆｂを使用した防獣用フェンスは、積雪による斜面雪圧、受動雪圧からなる雪圧と積もった雪がもたらす沈降力を受け難く、また、受けたとしても各フェンス体Ｆｂが全体で分散して受け止めるため、前記雪圧などによって防獣用フェンスが変形することは殆んどない。
【００２７】
また、上記の本発明フェンス体Ｆｂの例では、下位の第二横メンバ２２の下方は、第三の横メンバ４を配置して手掛かり不能部の格子目３より上下幅（縦幅）が小さい格子目５が形成されるように、交叉した縦横の各メンバ１，４を溶着しているので、フェンス体Ｆｂは下方部の網目が小さくなり、防獣用フェンス全体の下部の強度を十分に高めることができる。第三の横メンバ４は、鋼棒を単線で使用する場合と少なくとも２本を平行にした組で使用する場合がある。図１では第三の各横メンバ４は、単線使いである。
【００２８】
次に、図３により、本発明フェンス体の他の一例について説明する。この図３に示したフェンス体Ｆｂ２は、図１に示したフェンス体Ｆｂにおける動物の手掛かり不能部を、フェンス体Ｆｂ２の下方に設けたことに特徴があり、具体的には、縦メンバ１と第一，第二の横メンバ２１，２２により形成される手掛かり不能部になる縦長の格子目３は、図３の例では、フェンス体Ｆｂ２の下方に形成される。即ち、４〜１０ｍｍφの太さで長さ約１０００〜２５００ｍｍの鋼棒を、４０〜６０ｍｍの間隔で縦向き平行にして正面幅が１０００〜２５００ｍｍをなすように並べて縦メンバ１とし、この縦メンバ１に、４〜１０ｍｍφの太さで長さを前記正面幅と略同長に整えた鋼棒による第一の横メンバ２１を、縦メンバ１の下端部乃至はその近傍に配置し、そこから６００ｍｍ〜１０００ｍｍの位置に第二の横メンバ２２を配して前記各メンバ１，２１，２２の交叉部を溶着することにより動物の手掛かり不能部を形成すると共に、溶着された前記第二の横メンバ２２の上方に位置した前記縦メンバ１には、第一，第二の横メンバ２１，２２と同様の鋼棒による１本又は２本以上の第三の横メンバ４を、前記手掛かり不能部の縦幅より狭い縦幅の格子が形成されるように配置して各メンバ１，４の交叉部を溶着することにより狭縦幅の格子目３を形成し、かつ、前記各縦メンバ１の最下部は櫛歯状をなすように形成し地中に埋設されるようにして形成される。その他の構成は、図１のフェンス体Ｆｂに基づき説明したのと同じであり、支柱６への配設方法も、上記図２に基づき説明したのと同様である。
【００２９】
以上に説明した本発明フェンス体Ｆｂの実施形態の例は、鋼棒による縦，横の各メンバ１，２１，２２，４の交叉部を溶接した構造の本発明フェンス体Ｆｂを使用して防獣用フェンスを形成した例であるが、本発明フェンス体Ｆｂは、図４に例示する形態とすることもあるので、以下にこの点について図４により説明する。図４において図１乃至図３と同一符号は同一部材、同一部位を示すものとする。
【００３０】
図４において、支柱６に取付けられた本発明の別例のフェンス体Ｆｂ′は、その手掛かり不能部として機能する縦長の格子目３の部位に、金属板やプラスチック板などによる板材９を取付けた形態のものである。板材９により手掛かり不能部の格子目３を塞ぐと、その板材９の表面を、種々の表示、例えば、設置場所の地名や道路名など、或は、広告や広報などの表示部として利用することができ、また、着色したりイラストなどを施すことにより、緑地などが少ない沿線地域の景観の向上に寄与する。
【００３１】
板材９を手掛かり不能部に取付ける上記例の本発明フェンス体Ｆｂ′においては、図５に例示するように、板材９の下辺側に位置する第一，第二の横メンバ２１，２２を設けない構造や、第一，第二の横メンバ２１，２２を１本の鋼棒で形成した構造、或は、第一の横メンバ２を設けず、第一，第二，第三の横メンバ２１，２２，４の鋼棒に代わる金属板，金属帯，金属パイプや適宜断面の鋼材のいずれかを第一，第二，第三の横メンバ２１′２２′，４′として使用する構造や、鋼棒，金属板，型鋼などを混成して使用する構造などとすることにより、横メンバ２１，２２，４の使用数を少なくしたり、全く設けない構造、或は、第三の横メンバ４の取付けを容易にした構造を選択することができる。このように、第一，第二の横メンバ２１，２２の省略、或は、第三の横メンバ４の代替構造などをとると、本発明フェンス体Ｆｂ′の製造手間の省力化やフェンス体の重量の軽減に大きく寄与し、フェンス体の断面強度を大きくすることができる。図５において、図１〜図４と同一符号は、同一部材或は同一部分を示すものとする。なお、上述した本発明フェンス体Ｆｂ，Ｆｂ′に、胴縁を設けたり、いわゆる忍び返しを設けることは任意である。
【００３２】
図６は、既設のフェンスに本発明フェンス体を重ねて設置した例を示した正面図である。即ち、有刺鉄線や普通の鉄線を、フェンス用に立てた支柱６に張った形態の既設のフェンスは、その網目の間、或は、地上面とフェンス下端の隙間から小動物が自由に出入りできるため、防獣用フェンスとしては不完全なものであるが、このフェンスの山側（線路や道路とは反対側又は民地側）に、上述した本発明フェンス体Ｆｂ又はＦｂ′を防獣用フェンスとして設置すると、使用したフェンス体Ｆｂ又はＦｂ′の上部には動物の手掛かり不能部が形成され、また当該フェンス体Ｆｂ又はＦｂ′の下端部は地中に埋設されるので、既設フェンスの欠陥を全面的に補完することができる。なお、図６において、図１〜図５と同一部材，同一部位は、同一符号で示している。Ｒｗは既設フェンスの有刺鉄線である。また、図６では図４に示した本発明フェンス体Ｆｂ′を使用しているが、本発明フェンス体であれば、先に説明した本発明フェンス体のいずれを用いてもよい。
【００３３】
次に、図７，図８により、縦メンバ１の上端部に胴縁Ｄｆを設けた本発明のフェンス体Ｆｂの構成について説明する。なお、本発明フェンス体Ｆｂには、図示しないが胴縁を縦メンバ１の下端部、若しくは、上下両端部に設けた構成もある。
【００３４】
図７に示した胴縁Ｄｆは、縦メンバ１の上端部に、４〜１０ｍｍφの鋼棒により形成した略環状の胴縁用枠体Ｗ１を設け、これら枠体Ｗ１の内周に、フェンス体Ｆｂの正面幅と略同長に整えた４〜１０ｍｍφの鋼棒による胴縁用横メンバＤｍの複数本を適宜間隔で配設し、該横メンバと前記枠体Ｗ１の交叉部を溶接により固着して形成したものである。なお、略環状の枠体Ｗ１は、縦メンバ１を延設して形成してもよく、また、胴縁用横メンバは、枠体Ｗ１の外周、又は、内周と外周に配設してもよい。
【００３５】
図８に示した胴縁Ｄｆは、縦メンバ１の上端側に延設して半環状の胴縁用枠体Ｗ２を形成したものであるが、胴縁用枠体Ｗ２は、これ以外に三角形，四角形，六角形等の適宜多角形環状乃至円半環状にすることができる。なお、前記枠体Ｗ２に胴縁用横メンバＤｍ複数本を適宜間隔で配設する構成は、上記図７に基づき説明したものと同じである。
【００３６】
【発明の効果】
本発明は以上の通りであって、山間地などに通された自動車道や鉄道に沿って設置する防獣用フェンスに使用するフェンス体を、一例として４〜１０ｍｍφの太さで長さ約１０００〜２５００ｍｍの鋼棒を、４０〜６０ｍｍの間隔で縦向き平行にして正面幅が１０００〜２５００ｍｍをなすように並べた縦メンバに、４〜１０ｍｍφの太さで長さを前記正面幅と略同長に整えた鋼棒による第一の横メンバを、前記縦メンバの上端部乃至はその近傍に配置し、そこから３００〜７００ｍｍの位置に第二の横メンバを配して前記各メンバの交叉部を溶着することにより動物の手掛かり不能部を形成すると共に、溶着された前記第二の横メンバの下方に位置した前記縦メンバには、前記横メンバと同様の鋼棒による１本又は２本以上の第三の横メンバを、前記手掛かり不能部の縦幅より狭い縦幅の格子が形成されるように配置して各メンバの交叉部を溶着することにより狭縦幅の格子目を形成し、かつ、前記各縦メンバの最下部は地面に刺さり埋設される櫛歯状をなすように形成することにより、防獣用フェンスを簡単かつ軽量な構造のフェンス体で構築でき、また、設置された防獣用フェンスは、動物がよじ登れず、しかも、そのフェンス設置場所の地表の凹凸や傾斜の有無に拘わらず、設置するフェンス体と地上の間に隙間が生じない防獣用フェンスを形成することができる。
【図面の簡単な説明】
【図１】本発明フェンス体の一例の正面図。
【図２】図１のフェンス体を防獣用フェンスの一例として設置した例の要部の正面図。
【図３】本発明フェンス体の他の一例の正面図、
【図４】本発明フェンス体の別例を使用した防獣フェンスの例の正面図。
【図５】本発明フェンスに体の他の例を使用した防獣フェンスの一例の正面図。
【図６】既設フェンスに本発明フェンス体を重ねて設置した例を示した正面図。
【図７】胴縁を設けた本発明フェンス体の一例の要部拡大斜視図。
【図８】胴縁を設けた本発明フェンス体の他の一例の要部拡大斜視図。
【符号の説明】
１　　　　　縦メンバ
２　　　　　横メンバ
２１　　　　　第一の横メンバ
２２　　　　　第二の横メンバ
３　　　　　フェンス体上方の手掛かり不能部となる格子目
４　　　　　第三の横メンバ
５　　　　　フェンス体下方の狭い縦幅の格子目
６　　　　　支柱
７　　　　　立設基礎
８　　　　　止金具
９　　　　　板材
Ｆｂ，ＦＢ２，Ｆｂ′　　本発明フェンス体
Ｄｆ　　　　　胴縁
【図１】
2004024230.tif 000003
【図２】
2004024230.tif 000004
【図３】
2004024230.tif 000005
【図４】
2004024230.tif 000006
【図５】
2004024230.tif 000007
【図６】
2004024230.tif 000008
【図７】
2004024230.tif 000009
【図８】
2004024230.tif 000010